(57)【要約】【課題】電界レベルが不定で様々な妨害波が存在する可能性のある環境下で使用される場合であっても、最適な性能を発揮できる携帯型無線機を提供する。【解決手段】携帯型無線機の受信機は、受信信号のレベルを可変減衰器１１により調整し、増幅器１２を介してＩＦ回路１３へ出力する。ＩＦ回路１３は、受信信号を中間周波信号に変換すると共にRSSI信号を比較演算増幅器１６へ出力する。予め可変減衰器１１の任意の動作開始受信信号レベルに合わせてＤ／Ａ変換器２１から出力される制御信号Ｅのレベルを決定し、そのレベル値をＣＰＵ１９によりメモリ２０に記憶する。携帯型無線機の電源をオンして受信動作を開始する際、ＣＰＵ１９はメモリ２０に記憶したレベル値に基づいてＤ／Ａ変換器２１から出力される制御信号Ｅのレベルを設定する。比較演算増幅器１６は、RSSI信号と制御信号Ｅとを比較して可変減衰器１１の減衰量を制御する。【選択図】図１
2010213202.tif 000002
【特許請求の範囲】
【請求項１】
無線信号を受信する受信機を備えた携帯型無線機において、
前記受信機に設けられ、過大なレベルの信号を受信した場合に各回路における入力の飽和を防止する可変減衰器と、
前記受信機の受信信号を検出して受信強度信号を出力する受信強度検出手段と、
予め前記可変減衰器の任意の動作開始受信信号レベルに合わせて該可変減衰器の制御信号レベルを設定する制御信号設定手段と、
前記制御信号設定手段により設定された制御信号レベルを記憶する記憶するメモリと、
受信動作を開始する際、前記受信強度検出手段で検出された受信強度信号と前記メモリに記憶されたレベル値に基づいて設定される制御信号とを比較して前記可変減衰器の減衰量を制御する比較演算増幅器とを具備したことを特徴とする携帯型無線機。
【発明の詳細な説明】
【技術分野】
【０００１】
本発明は、過大なレベルの信号を受信した場合に、受信機回路の入力が飽和することを防ぐための可変減衰器を備えた携帯型無線機に関する。
【背景技術】
【０００２】
従来、携帯型無線機では、過大なレベルの信号を受信した場合に、受信機回路の入力が飽和することを防ぐために可変減衰器を備え、受信した信号の強度に応じて前記可変減衰器の減衰量を制御している（例えば、特許文献１参照。）。
上記のように受信信号の強度に応じて可変減衰器の減衰量を制御するようにした従来の携帯型無線機における受信回路は、図３に示すように構成されている。
【０００３】
図３において、３１は可変減衰器で、例えばアンテナ（図示せず）により受信された基地局からの信号が入力端子３０を介して入力される。上記可変減衰器３１で減衰された信号は、高周波増幅器３２で増幅された後、ＩＦ（中間周波）回路３３に入力される。ＩＦ回路３３は、増幅器３２で増幅された高周波信号を中間周波信号に変換して増幅器３４へ出力する。この増幅器３４で増幅された信号は、復調回路３５へ送られて復調される。
【０００４】
また、上記ＩＦ回路３３は、上記したように増幅器３２で増幅された高周波信号を中間周波信号に変換して増幅器３４へ出力すると共に、増幅器３２の出力信号レベルに応じたRSSI（Received Signal Strength Indicator：受信信号強度）信号を制御信号発生回路３６へ出力する。この制御信号発生回路３６は、ＩＦ回路３３から出力されるRSSI信号に基づいて可変減衰器３１へ制御信号を出力し、可変減衰器３１から出力される信号のレベルが常に一定になるように可変減衰器３１の減衰量を調整する。
【先行技術文献】
【特許文献】
【０００５】
【特許文献１】特開２００４−１０４２７７号公報
【発明の概要】
【発明が解決しようとする課題】
【０００６】
上記のように構成された受信回路では、可変減衰器３１の動作開始信号レベルは、構成されるハードウェアの部品により決定されることになる。そのため受信回路を構成する各回路部の利得のばらつき等を吸収することができない。従って、弱電界から強電界までの間の不定の電界レベルの環境で、かつ様々な妨害波が存在する可能性のある環境下で使用される携帯型無線機、特に高度な性能を要求されるシステムで使用される携帯型無線機では、最適な性能を発揮することができない場合が発生する。
【０００７】
本発明は上記の課題を解決するためになされたもので、弱電界から強電界までの間の不定の電界レベルの環境で、かつ様々な妨害波が存在する可能性のある環境下で使用される場合であっても、最適な性能を発揮することができる携帯型無線機を提供することを目的とする。
【課題を解決するための手段】
【０００８】
本発明は、無線信号を受信する受信機を備えた携帯型無線機において、前記受信機に設けられ、過大なレベルの信号を受信した場合に各回路における入力の飽和を防止する可変減衰器と、前記受信機の受信信号を検出して受信強度信号を出力する受信強度検出手段と、予め前記可変減衰器の任意の動作開始受信信号レベルに合わせて該可変減衰器の制御信号レベルを設定する制御信号設定手段と、前記制御信号設定手段により設定された制御信号レベルを記憶する記憶するメモリと、受信動作を開始する際、前記受信強度検出手段で検出された受信強度信号と前記メモリに記憶されたレベル値に基づいて設定される制御信号とを比較して前記可変減衰器の減衰量を制御する比較演算増幅器とを具備したことを特徴とする。
【発明の効果】
【０００９】
本発明によれば、過大なレベルの信号を受信した場合に、受信機の各回路の入力が飽和することを防止する可変減衰器を備えた携帯型無線機において、各携帯型無線機毎に可変減衰器の任意の動作開始受信信号レベルに合わせて設定した制御信号Ｅのレベルをメモリに記憶することにより、可変減衰器の動作開始受信信号レベルを無線機毎に適切な値に設定でき、受信回路を構成する各回路部の利得のばらつき等を吸収して入力信号の飽和を確実に防止でき、弱電界から強電界までの間の不定の電界レベルの環境で、かつ様々な妨害波が存在する可能性のある環境下で使用される場合であっても最適な性能を発揮することができる。
【図面の簡単な説明】
【００１０】
【図１】本発明の実施例１に係る携帯型無線機の受信機部分の回路構成を示すブロック図である。
【図２】同実施例１における可変減衰器の動作開始受信信号レベルの設定動作を示すフローチャートである。
【図３】従来の携帯型無線機における受信回路部の構成を示すブロック図である。
【発明を実施するための形態】
【００１１】
以下、本発明の実施の形態について図面を参照して詳細に説明する。
【実施例１】
【００１２】
図１は、本発明の実施例１に係る携帯型無線機の受信機部分の回路構成を示すブロック図である。この携帯型無線機は、例えば業務用の無線機で送信機及び受信機を備えている。
図１において、１１は可変減衰器で、例えばアンテナ（図示せず）により受信された基地局からの信号が入力端子１０を介して入力される。上記可変減衰器１１で減衰された信号は、高周波増幅器１２で増幅された後、ＩＦ（中間周波）回路１３に入力される。ＩＦ回路１３は、増幅器１２で増幅された高周波信号を中間周波信号に変換して増幅器１４へ出力する。この増幅器１４で増幅された信号は、復調回路１５へ送られて復調される。
【００１３】
また、上記ＩＦ回路１３は、増幅器１２で増幅された高周波信号を中間周波信号に変換して増幅器１４へ出力すると共に、受信信号の強度を検出してRSSI（Received Signal Strength Indicator：受信信号強度）信号を出力する。このRSSI信号は、比較演算増幅器１６の一方の入力端子に入力されると共に、Ａ／Ｄ変換器１８を介してＣＰＵ１９へ送られる。ＣＰＵ１９には、メモリ２０が接続される。ＣＰＵ１９は、制御信号の設定モードにおいて、Ａ／Ｄ変換器１８によりデジタル信号に変換されたRSSI信号等に基づいて可変減衰器１１の任意の動作開始受信信号レベルに合わせた制御信号を設定し、その制御信号のレベルをメモリ２０に記憶する。
【００１４】
ＣＰＵ１９は、実際の受信動作時には、メモリ２０に記憶した制御信号のレベルに基づいてＤ／Ａ変換器２１の動作を設定し、Ｄ／Ａ変換器２１で変換したアナログ信号を制御信号Ｅとして出力する。このＤ／Ａ変換器２１から出力される制御信号Ｅは、比較演算増幅器１６の他方の入力端子及び切替スイッチ１７の端子Ｂに入力される。
【００１５】
比較演算増幅器１６は、ＩＦ回路１３から出力されるRSSI信号とＤ／Ａ変換器２１でＤ／Ａ変換された制御信号Ｅとを比較して減衰器制御信号を出力する。この減衰器制御信号は、切替スイッチ１７の端子Ａに入力される。切替スイッチ１７は、ＣＰＵ１９からの制御指令により端子Ａ又は端子Ｂへの入力信号を切替えて、可変減衰器１１の制御端子へ出力する。なお、切替スイッチ１７は、手動操作により切替えるようにしても良い。
【００１６】
次に上記のように構成された受信回路において、可変減衰器１１の動作開始受信信号レベルを設定する場合の処理動作を図２に示すフローチャートを参照して説明する。
動作開始受信信号レベルを設定する場合、オペレータはＣＰＵ１９に対して制御信号の設定モードを指定する。
【００１７】
ＣＰＵ１９は、制御信号の設定モードが指定されると、切替スイッチ１７をＤ／Ａ変換器２１からの制御信号Ｅが入力される端子Ｂ側に切替えると共に、Ｄ／Ａ変換器２１から出力される制御信号Ｅが「０Ｖ」となるように制御する（ステップＡ１、Ａ２）。上記Ｄ／Ａ変換器２１から出力される制御信号Ｅ「０Ｖ」は、切替スイッチ１７を介して可変減衰器１１へ送られ、該可変減衰器１１の減衰量を制御する。この場合、可変減衰器１１は、制御信号Ｅ「０Ｖ」により減衰量が最少となるように制御される。
【００１８】
この状態で、オペレータは入力端子１０に所定レベルの信号、すなわち可変減衰器１１の任意の動作開始受信信号レベルに設定した信号を入力する。このときの動作開始受信信号レベルをレベル（ａ）とする。
このときＣＰＵ１９は、ＩＦ回路１３からＡ／Ｄ変換器１８を介して出力されるRSSI信号（デジタル信号）を取り込み、その値（ｂ）を例えば内部メモリに記憶する（ステップＡ３）。
【００１９】
この状態で、オペレータは入力端子１０に入力する受信信号レベルを可変減衰器１１が動作している任意の入力状態、例えば「レベル（ａ）＋３ｄＢ」に設定変更する（ステップＡ４）。このときＣＰＵ１９は、切替スイッチ１７を比較演算増幅器１６が接続されている端子Ａ側に切替える（ステップＡ５）。この状態では、Ｄ／Ａ変換器２１から出力される制御信号Ｅは「０Ｖ」となっており、RSSI信号と制御信号Ｅとの差に応じた電圧を出力する比較演算増幅器１６の出力電圧は高い電圧となっている。比較演算増幅器１６から高い電圧が出力されると可変減衰器１１の減衰量が増大し、ＩＦ回路１３から出力されるRSSI信号レベルが減少し、Ａ／Ｄ変換器１８を介してＣＰＵ１９に取り込まれる値も減少し、上記（ｂ）の値よりも低い値となる（ステップＡ６）。
【００２０】
その後、ＣＰＵ１９は、Ｄ／Ａ変換器２１の設定を順次増加させ、Ｄ／Ａ変換器２１から出力される制御信号Ｅのレベルを増加させる（ステップＡ７）。これにより比較演算増幅器１６の出力は減少し、それに伴って可変減衰器１１の減衰量も減少し、ＩＦ回路１３から出力されるRSSI信号レベルが増加し、Ａ／Ｄ変換器１８を介してＣＰＵ１９に取り込まれる値も増加する（ステップＡ８）。ＣＰＵ１９は、Ａ／Ｄ変換器１８を介して取り込んだ値が（ｂ）の値に等しくなったかどうかを判断し（ステップＡ９）、（ｂ）の値に達していなければ、再びステップＡ７に戻ってＤ／Ａ変換器２１から出力される制御信号Ｅのレベルを増加させる。
【００２１】
そして、ＣＰＵ１９は、ステップＡ９においてＡ／Ｄ変換器１８から取り込んだ値が（ｂ）の値に等しくなったと判断すると、そのときのＤ／Ａ変換器２１の設定値（ｃ）をメモリ２０に記憶する（ステップＡ１０）。ＣＰＵ１９は、可変減衰器１１に対する上記の設定処理を終了すると、実際の受信動作時には、メモリ２０から設定値（ｃ）を読み出してＤ／Ａ変換器２１の動作を設定し（ステップＡ１１）、その時Ｄ／Ａ変換器２１から出力される制御信号Ｅを比較演算増幅器１６へ出力する。
【００２２】
次に上記設定後における実際の受信時における回路動作について説明する。
ＣＰＵ１９は、実際の受信時では切替スイッチ１７を端子Ａ側に切替え、比較演算増幅器１６の出力信号により可変減衰器１１の減衰量が制御されるようにする。
そして、携帯型無線機の電源がＯＮになると、ＣＰＵ１９はメモリ２０から設定値（ｃ）を読出してＤ／Ａ変換器２１の動作を設定する。これにより可変減衰器１１の動作開始受信信号レベルの閾値となる制御信号ＥがＤ／Ａ変換器２１から出力され、比較演算増幅器１６に入力される。比較演算増幅器１６は、ＩＦ回路１３から出力されるRSSI信号と上記制御信号Ｅとを比較し、その比較結果に基づいて可変減衰器１１の減衰量を制御する。
【００２３】
入力端子１０に入力される受信信号レベルが可変減衰器１１の動作開始受信信号レベルより低いときは、比較演算増幅器１６の出力は「０Ｖ」を維持し、それにより制御される可変減衰器１１は減衰量が最少の状態を維持する。
上記受信信号レベルが可変減衰器１１の動作開始受信信号レベルを超えた場合は、ＩＦ回路１３から出力されるRSSI信号がＤ／Ａ変換器２１から出力される制御信号Ｅより高い電圧となり、比較演算増幅器１６からRSSI信号と制御信号Ｅとの差に応じた電圧が出力され、それにより制御される可変減衰器１１は減衰量が増加し、可変減衰器１１以降の信号レベルが増加しないようになる。
【００２４】
上記のように各無線機毎に可変減衰器１１の任意の動作開始受信信号レベルに合わせて設定した制御信号Ｅのレベルをメモリ２０に記憶することにより、可変減衰器の動作開始受信信号レベルを無線機毎に適切な値に設定でき、受信回路を構成する各回路部の利得のばらつき等を吸収して入力信号が飽和することを確実に防止でき、弱電界から強電界までの間の不定の電界レベルの環境で、かつ様々な妨害波が存在する可能性のある環境下で使用される場合であっても、最適な性能を発揮することができる。
【００２５】
なお、本発明は、上記実施形態そのままに限定されるものではなく、実施段階ではその要旨を逸脱しない範囲で構成要素を変形して具体化できるものである。
【符号の説明】
【００２６】
１０…入力端子、１１…可変減衰器、１２…増幅器、１３…ＩＦ回路、１４…増幅器、１５…復調回路、１６…比較演算増幅器、１７…切替スイッチ、１８…Ａ／Ｄ変換器、１９…ＣＰＵ、２０…メモリ、２１…Ｄ／Ａ変換器。
【図１】
2010213202.tif 000003
【図２】
2010213202.tif 000004
【図３】
2010213202.tif 000005